(57)【要約】【課題】ネットワーク障害により拒否されたシグナリング手順からサービスを回復する装置および方法を提供する。【解決手段】移動通信装置であって、第１の公衆移動通信網（ＰＬＭＮ）および第２のＰＬＭＮからの、又は前記第１の公衆移動通信網（ＰＬＭＮ）および前記第２のＰＬＭＮへの無線送受信を実行する無線モジュール、および前記無線モジュールを介して前記第１のＰＬＭＮとのシグナリング手順を実行し、ネットワーク障害を示す拒否要因により失敗した前記シグナリング手順に応じて、前記第１のＰＬＭＮとの前記シグナリング手順を再試行することなく、前記無線モジュールを介してＰＬＭＮ選択手順を実行する制御モジュールを含む移動通信装置。【選択図】図２
2014036440.tif 000002
【特許請求の範囲】
【請求項１】
移動通信装置であって、
第１の公衆移動通信網（ＰＬＭＮ）および第２のＰＬＭＮへの、または前記第１の公衆移動通信網（ＰＬＭＮ）および前記第２のＰＬＭＮからの無線送受信を実行する無線モジュール、および
前記無線モジュールを介して前記第１のＰＬＭＮとのシグナリング手順を実行し、ネットワーク障害を示す拒否要因により失敗した前記シグナリング手順に応じて、前記第１のＰＬＭＮとの前記シグナリング手順を再試行することなく、前記無線モジュールを介してＰＬＭＮ選択手順を実行する制御モジュールを含む移動通信装置。
【請求項２】
前記シグナリング手順は、アタッチ手順、位置更新手順、ルーティングエリア更新手順、またはトラッキングエリア更新手順である請求項１に記載の移動通信装置。
【請求項３】
前記シグナリング手順は、第１の無線技術を用いて前記第１のＰＬＭＮと実行され、前記ＰＬＭＮ選択手順は、第２の無線技術を用いて前記第１のＰＬＭＮに対してのみ実行される請求項１に記載の移動通信装置。
【請求項４】
前記制御モジュールは、前記第１のＰＬＭＮに対してのみ実行された前記ＰＬＭＮ選択手順の失敗に応じて、前記無線モジュールを介して前記第２のＰＬＭＮに対して他のＰＬＭＮ選択手順を更に実行する請求項３に記載の移動通信装置。
【請求項５】
前記制御モジュールは、前記第２のＰＬＭＮに対して実行された前記ＰＬＭＮ選択手順の失敗に応じて、前記移動通信装置に接続された加入者識別モジュール（ＳＩＭ）またはユニバーサルＳＩＭ（ＵＳＩＭ）を無効として更に設定する請求項４に記載の移動通信装置。
【請求項６】
前記ＰＬＭＮ選択手順は、前記第２のＰＬＭＮに対して実行される請求項１に記載の移動通信装置。
【請求項７】
前記制御モジュールは、前記第２のＰＬＭＮに対して実行された前記ＰＬＭＮ選択手順の失敗に応じて、前記移動通信装置に接続された加入者識別モジュール（ＳＩＭ）またはユニバーサルＳＩＭ（ＵＳＩＭ）を無効として更に設定する請求項５に記載の移動通信装置。
【請求項８】
前記制御モジュールは、前記ＰＬＭＮ選択手順の成功に応じて、前記第１のＰＬＭＮまたは前記第２のＰＬＭＮに更にキャンプオンする請求項１に記載の移動通信装置。
【請求項９】
前記第１の無線技術は、汎用パケット無線サービス（ＧＰＲＳ）技術、グローバル進化型高速データレート（ＥＤＧＥ）技術、広帯域符号分割多元接続（ＷＣＤＭＡ（登録商標））技術、およびロングタームエボリューション（ＬＴＥ）技術の中の１つであり、前記第１の無線技術は、ＧＰＲＳ技術、ＥＤＧＥ技術、ＷＣＤＭＡ（登録商標）技術、およびＬＴＥ技術の中の別の１つである請求項３に記載の移動通信装置。
【請求項１０】
ネットワーク障害により拒否されたシグナリング手順からサービスを回復する移動通信装置に用いる方法であって、
第１のＰＬＭＮとのシグナリング手順を実行するステップ、および
ネットワーク障害を示す拒否要因により失敗した前記シグナリング手順に応じて、前記第１のＰＬＭＮとの前記シグナリング手順を再試行することなく、ＰＬＭＮ選択手順を実行するステップを含む方法。
【請求項１１】
前記シグナリング手順は、アタッチ手順、位置更新手順、ルーティングエリア更新手順、またはトラッキングエリア更新手順である請求項１０に記載の方法。
【請求項１２】
前記シグナリング手順は、第１の無線技術を用いて前記第１のＰＬＭＮと実行され、前記ＰＬＭＮ選択手順は、第２の無線技術を用いて前記第１のＰＬＭＮに対してのみ実行される請求項１０に記載の方法。
【請求項１３】
前記第１のＰＬＭＮに対してのみ実行された前記ＰＬＭＮ選択手順の失敗に応じて、前記第２のＰＬＭＮに対して他のＰＬＭＮ選択手順を更に実行するステップを更に含む請求項１２に記載の方法。
【請求項１４】
前記第２のＰＬＭＮに対して実行された前記ＰＬＭＮ選択手順の失敗に応じて、前記移動通信装置に接続された加入者識別モジュール（ＳＩＭ）またはユニバーサルＳＩＭ（ＵＳＩＭ）を無効として更に設定するステップを更に含む請求項１３に記載の方法。
【請求項１５】
前記ＰＬＭＮ選択手順は、前記第２のＰＬＭＮに対して実行される請求項１０に記載の方法。
【請求項１６】
前記第２のＰＬＭＮに対して実行された前記ＰＬＭＮ選択手順の失敗に応じて、前記移動通信装置に接続された加入者識別モジュール（ＳＩＭ）またはユニバーサルＳＩＭ（ＵＳＩＭ）を無効として更に設定するステップを更に含む請求項１５に記載の方法。
【請求項１７】
前記ＰＬＭＮ選択手順の成功に応じて、前記第１のＰＬＭＮまたは前記第２のＰＬＭＮに更にキャンプオンするステップを更に含む請求項１０に記載の方法。
【請求項１８】
前記第１の無線技術は、汎用パケット無線サービス（ＧＰＲＳ）技術、グローバル進化型高速データレート（ＥＤＧＥ）技術、広帯域符号分割多元接続（ＷＣＤＭＡ（登録商標））技術、およびロングタームエボリューション（ＬＴＥ）技術の中の１つであり、前記第１の無線技術は、ＧＰＲＳ技術、ＥＤＧＥ技術、ＷＣＤＭＡ（登録商標）技術、およびＬＴＥ技術の中の別の１つである請求項１２に記載の方法。
【発明の詳細な説明】
【技術分野】
【０００１】
本発明は、公衆移動通信網（Ｐｕｂｌｉｃ  Ｌａｎｄ  Ｍｏｂｉｌｅ  Ｎｅｔｗｏｒｋｓ；  ＰＬＭＮ）とのシグナリング手順中のユーザー端末（ＵＥ）の動作に関し、特に、ネットワーク障害により拒否されたシグナリング手順からサービスを回復する装置および方法に関するものである。
【背景技術】
【０００２】
ユビキタスコンピューティングおよびネットワーキングの需要の増加に伴い、各種の無線技術、例えば、ワイヤレスフィディリティー（ＷｉＦｉ）技術、ブルートゥース技術、およびジグビー技術などを含む無線ＬＡＮ（ＷＬＡＮ）技術などが開発されてきた。セルラー技術は、グローバルシステムフォーモービルコミュニケーションズ（ＧＳＭ（登録商標））技術、汎用パケット無線サービス（ＧＰＲＳ）技術、グローバル進化型高速データレート（Ｅｎｈａｎｃｅｄ  Ｄａｔａ  ｒａｔｅｓ  ｆｏｒ  ＧｌｏｂａｌＥｖｏｌｕｔｉｏｎ；  ＥＤＧＥ）技術、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ；  ＷＣＤＭＡ（登録商標））技術、符号分割多元接続２０００（Ｃｏｄｅ  Ｄｉｖｉｓｉｏｎ  Ｍｕｌｔｉｐｌｅ  Ａｃｃｅｓｓ  ２０００；  ＣＤＭＡ２０００）技術、時分割同期符号多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ；  ＴＤ−ＳＣＤＭＡ）技術、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；  ＷｉＭＡＸ）技術、ロングタームエボリューション（Ｌｏｎｇ  Ｔｅｒｍ  Ｅｖｏｌｕｔｉｏｎ；  ＬＴＥ）技術、時分割ＬＴＥ（ＴＤ−ＬＴＥ）技術、およびＬＴＥ−Ａｄｖａｎｃｅｄ技術などを含む。
【０００３】
ユーザーの利便性およびに柔軟性のために、ほとんどのユーザー端末（ＵＥ）（または移動局（ＭＳ）とも呼ばれ得る）は、目下、１つ以上の無線技術をサポートしており、ほとんどの公衆移動通信網（Ｐｕｂｌｉｃ  Ｌａｎｄ  Ｍｏｂｉｌｅ  Ｎｅｔｗｏｒｋｓ；  ＰＬＭＮ）は、多種の無線技術をサポートしてＵＥに無線サービスを提供する。例えば、ＧＳＭ（登録商標）／ＧＰＲＳ／ＥＤＧＥ技術、ＷＣＤＭＡ（登録商標）技術、およびＬＴＥ技術をサポートするＵＥを例にとると、それはサポートされた無線技術の１つを用いてＰＬＭＮにキャンプオン（ｃａｍｐ  ｏｎ）し、無線サービスを得ることができる。ＵＥがＰＬＭＮにキャンプオンされると、ＵＥは、ＰＬＭＮで、例えばアタッチ手順、位置更新手順、ルーティングエリア更新手順、および／またはトラッキングエリア更新手順などのシグナリング手順を実行することができる。
【０００４】
しかしながら、ユーザー端末の位置の領域にある、ＰＬＭＮの、例えば基地局（ＢＳ）、ノードＢ（Ｎｏｄｅ−Ｂ）、または他のネットワーク要素は、バックボーン環境修正（ｂａｃｋｂｏｎｅ  ｅｎｖｉｒｏｎｍｅｎｔ  ｆｉｘｉｎｇ）またはシステム設定更新のメンテナンスが行われている場合がある。この場合、ＵＥによってＰＬＭＮと実行されたシグナリング手順は、ネットワーク障害のために拒絶され、３ＧＰＰ  ＴＳ２４．３０１仕様の第５章および３ＧＰＰ  ＴＳ２４．００８仕様の第４章に基づいて、ＵＥは、ＰＬＭＮにキャンプオンするのに先に用いられたのと同じ無線技術を用いて数回、同じＰＬＭＮとのシグナリング手順の再試行を続ける。不利なのは、この間、ＵＥは、無線サービスを得ることができず、更にはネットワーク要素のメンテナンスは長時間かかる。結果、ＵＥのユーザーは、予想外に長いサービスの中断にあう可能性がある。
【発明の概要】
【発明が解決しようとする課題】
【０００５】
ネットワーク障害により拒否されたシグナリング手順からサービスを回復する装置および方法を提供する。
【課題を解決するための手段】
【０００６】
上述の問題を解決するために、本発明は、シグナリング手順を再試行することなく、異なる無線技術を用いて異なるＰＬＭＮまたは同じＰＬＭＮに対してＰＬＭＮ選択手順を実行することによって、ユーザー用にネットワーク障害により拒否されたシグナリング手順からサービスを回復する装置および方法を提供する。
【０００７】
本発明の１つの実施形態では、移動通信装置が提供される。移動通信装置は、無線モジュールおよび制御モジュールを含む。無線モジュールは、第１の公衆移動通信網（ＰＬＭＮ）および第２のＰＬＭＮへの、または第１の公衆移動通信網（ＰＬＭＮ）および第２のＰＬＭＮからの無線送受信を実行する。制御モジュールは、無線モジュールを介して第１のＰＬＭＮとのシグナリング手順を実行し、ネットワーク障害を示す拒否要因により失敗したシグナリング手順に応じて、第１のＰＬＭＮとのシグナリング手順を再試行することなく、無線モジュールを介してＰＬＭＮ選択手順を実行する。
【０００８】
本発明の他の態様では、ネットワーク障害により拒否されたシグナリング手順からサービスを回復する移動通信装置に用いる方法が提供される。前記方法は、第１のＰＬＭＮとのシグナリング手順を実行するステップ、およびネットワーク障害を示す拒否要因により失敗したシグナリング手順に応じて、第１のＰＬＭＮとのシグナリング手順を再試行することなく、ＰＬＭＮ選択手順を実行するステップを含む。
【０００９】
本発明の他の態様及び特徴は、ネットワーク障害により拒否されたシグナリング手順からサービスを回復する移動通信装置および方法の特定の実施の形態の以下の説明を検討後は当業者により明白となるであろう。
【図面の簡単な説明】
【００１０】
本発明は、添付の図面と併せて後に続く詳細な説明と実施例を解釈することによって、より完全に理解されることができる。
【図１】本発明の実施形態に基づいた無線通信環境のブロック図である。
【図２】本発明の実施形態に基づいた移動通信装置を表すブロック図である。
【図３】本発明の実施形態に基づいた移動通信装置用のネットワーク障害により拒否されたシグナリング手順からサービスを回復する方法を表している。
【図４】本発明の実施形態に基づいた移動通信装置用のネットワーク障害により拒否されたシグナリング手順からサービスを回復する方法を表している。
【発明を実施するための形態】
【００１１】
以下の説明は、本発明を実施するベストモードが開示されている。この説明は、本発明の一般原理を例示する目的のためのもので本発明を限定するものではない。本発明の範囲は、添付の請求の範囲を参考にして決定される。
【００１２】
図１は、本発明の実施形態に基づいた無線通信環境のブロック図である。無線通信環境１００は、移動通信装置１１０および２つのＰＬＭＮ１２０および１３０を含み、移動通信装置１１０は、ＰＬＭＮ１２０および１３０の中の１つに選択的にキャンプオンし、無線サービスを得る。ＰＬＭＮ１２０および１３０の各々は、異なる無線技術を用いた少なくとも２つのサービスネットワークを含む。具体的に言うと、ＰＬＭＮ１２０は、サービスネットワーク１２１および１２２を含み、ＰＬＭＮ１３０は、サービスネットワーク１３１および１３２を含み、サービスネットワーク１２１、１２２、１３１および１３２の各々は、アクセスネットワークおよびコアネットワークを含む。
【００１３】
例えば、ＰＬＭＮ１２０は、オペレータＡによって配置され、サービスネットワーク１２１は、ユニバーサル移動通信システム（ＵＭＴＳ）であることができ、アクセスネットワーク１１は、ユニバーサル地上無線アクセスネットワーク（ＵＴＲＡＮ）であることができ、コアネットワーク１２は、ホームロケーションレジスタ（ＨＬＲ）、少なくとも１つのサービングＧＰＲＳサポートノード（ＳＧＳＮ）、および少なくとも１つのゲートウェイＧＰＲＳサポートノード（ＧＧＳＮ）を含む汎用パケット無線サービス（ＧＰＲＳ）コアであることができる。サービスネットワーク１２２は、ＬＴＥ／ＬＴＥ−Ａｄｖａｎｃｅｄシステムであることができ、アクセスネットワーク２１は、進化型ユニバーサル地上無線アクセスネットワーク（Ｅｖｏｌｖｅｄ−ＵＴＲＡＮ；  Ｅ−ＵＴＲＡＮ）であることができ、コアネットワーク２２は、  ホーム加入者サーバ（ＨＳＳ）、移動管理エンティティ（ＭＭＥ）、サービングゲートウェイ（Ｓ−ＧＷ）、およびパケットデータネットワークゲートウェイ（ＰＤＮ−ＧＷまたはＰ−ＧＷ）を含む進化型パケットコア（ＥＰＣ）であることができる。
【００１４】
ＰＬＭＮ１３０は、オペレータＢによって配置され、サービスネットワーク１３１は、ＧＰＲＳ／ＥＤＧＥシステムであることができ、アクセスネットワーク３１は、基地局サブシステム（ＢＳＳ）であることができ、コアネットワーク３２は、ＨＬＲ、少なくとも１つのＳＧＳＮ、および少なくとも１つのＧＧＳＮを含むＧＰＲＳコアであることができる。サービスネットワーク１３２は、ＵＭＴＳであることができ、アクセスネットワーク４１は、ＵＴＲＡＮであることができ、コアネットワーク４２は、ＨＬＲ、少なくとも１つのＳＧＳＮ、および少なくとも１つのＧＧＳＮを含むＧＰＲＳコアであることができる。
【００１５】
移動通信装置１１０は、スマートフォン、パネルコンピュータ（ＰＣ）、ラップトップコンピュータ、またはＰＬＭＮ１２０のサービスネットワーク１２１と１２２およびＰＬＭＮ１３０のサービスネットワーク１３１と１３２によって用いられる少なくとも２つの無線技術をサポートする任意のコンピュータ装置であることができる。図２は、本発明の実施形態に基づいた移動通信装置１１０を表すブロック図である。移動通信装置１１０は、無線モジュール２１０および制御モジュール２２０を含む。無線モジュール２１０は、ＰＬＭＮ１２０のサービスネットワーク１２１と１２２およびＰＬＭＮ１３０のサービスネットワーク１３１と１３２への、またはＰＬＭＮ１２０のサービスネットワーク１２１と１２２およびＰＬＭＮ１３０のサービスネットワーク１３１と１３２からの無線送受信の機能を実行するのに用いられる。制御モジュール２２０は、無線モジュール２１０および他の機能的構成要素（図示されていない）（例えば、マンマシンインターフェース（ＭＭＩ）となる表示ユニットおよび／またはキーパッド、アプリケーションまたは通信プロトコルなどのプログラムコードを保存する保存ユニットなど）の動作を制御するのに用いられる。また、制御モジュール２２０は、ネットワーク障害により拒否されたシグナリング手順からサービスを回復する方法を実行する無線モジュール２１０を制御する。
【００１６】
更に明確にするために、無線モジュール２１０は、無線周波数（ＲＦ）ユニット（図示されていない）であることができ、制御モジュール２２０は、ベースバンドユニット（図示されていない）の汎用プロセッサまたはマイクロ制御ユニット（ＭＣＵ）であることができる。ベースバンドユニットは、複数のハードウェアデバイスを含み、アナログデジタル変換（ＡＤＣ）／デジタルアナログ変換（ＤＡＣ）、ゲイン調整、変調／復調、符号化／復号化などを含むベースバンド信号処理を実行する。ＲＦユニットは、ＲＦ無線信号を受信し、受信したＲＦ無線信号をベースバンド信号に変換し、ベースバンドユニットによって処理されるか、またはベースバンドユニットからベースバンド信号を受信し、受信したベースバンド信号をＲＦ無線信号に変換し、後に送信される。ＲＦユニットは、複数のハードウェア装置も含んで無線周波数変換を実行する。例えば、ＲＦユニットは、ミキサを含み、ベースバンド信号を移動通信システムの無線周波数で振幅のキャリアで掛け合わせる。無線周波数は、ＧＰＲＳ／ＥＤＧＥ技術に用いられる９００ＭＨｚ、１８００ＭＨｚ、または１９００ＭＨｚ、ＷＣＤＭＡ（登録商標）技術に用いられる９００ＭＨｚ、１９００ＭＨｚ、または２１００ＭＨｚ、またはＬＴＥ／ＬＴＥ−Ａｄｖａｎｃｅｄ技術に用いられる９００ＭＨｚ、２１００ＭＨｚ、または２．６ＧＨｚ、または他の用いられる無線技術によって決まることができる。
【００１７】
図３は、本発明の実施形態に基づいた移動通信装置用のネットワーク障害により拒否されたシグナリング手順からサービスを回復する方法を表すフローチャートである。この実施形態では、移動通信装置は、始めにＰＬＭＮにキャンプオンする。まず、移動通信装置は、ＰＬＭＮとのシグナリング手順を実行する（ステップＳ３１０）。具体的に言うと、シグナリング手順は、アタッチ手順、位置更新手順、ルーティングエリア更新手順、またはトラッキングエリア更新手順であることができる。また、シグナリング手順は、ネットワーク障害を示す拒否要因によりＰＬＭＮによって拒否される（ステップＳ３２０）。具体的に言うと、拒否要因は、アタッチ拒否（ＡＴＴＡＣＨ  ＲＥＪＥＣＴ）メッセージ、位置更新拒否メッセージ、ルーティングエリア更新拒否メッセージ、またはトラッキングエリア更新拒否メッセージを含むことができ、拒否要因は、１７の値に設定され、これはシグナリング手順がネットワーク障害により拒否されたことを意味する。
【００１８】
ネットワーク障害により拒否されているシグナリング手順に応じて、移動通信装置は、ＰＬＭＮとのシグナリング手順を再試行することなく、他のＰＬＭＮに対してＰＬＭＮ選択手順を実行する（ステップＳ３３０）。注意するのは、ＰＬＭＮ選択手順は、移動通信装置が始めにキャンプオンされたＰＬＭＮでないＰＬＭＮに実行される。即ち、ＰＬＭＮ選択手順は、シグナリング手順が拒否されたＰＬＭＮ以外の任意の好適なＰＬＭＮを見つけるように実行される。次いで、移動通信装置は、ＰＬＭＮ選択手順が他の好適なＰＬＭＮをうまく見つけたかどうかを決める（ステップＳ３４０）。探せた場合、移動通信装置は、見つかったＰＬＭＮにキャンプオンする（ステップＳ３５０）。逆に、ＰＬＭＮ選択手順が失敗した場合、移動通信装置は、移動通信装置に接続された加入者識別モジュール（ＳＩＭ）またはユニバーサル加入者識別モジュール（ＵＳＩＭ）を無効として設定し、“サービスなし（ｎｏ−ｓｅｒｖｉｃｅ）”状態に入る（ステップＳ３６０）。
【００１９】
注意するのは、従来のＵＥの動作と異なり、図３の実施形態の移動通信装置は、ネットワーク障害を示す拒否要因によるシグナリング手順の失敗に応じて、同じＰＬＭＮとのシグナリング手順を再試行することなく、他のＰＬＭＮに対してＰＬＭＮ選択手順を実行するため、他のＰＬＭＮにキャンプオンし、可能な限り早く無線サービスを得る。
【００２０】
図４は、本発明の実施形態に基づいた移動通信装置用のネットワーク障害により拒否されたシグナリング手順からサービスを回復する方法を表している。同様に、移動通信装置は、始めにＰＬＭＮにキャンプオンする。まず、移動通信装置は、サポートされる無線技術の１つを用いてＰＬＭＮとのシグナリング手順を実行し（ステップＳ４０１）、シグナリング手順は、ネットワーク障害を示す拒否要因によりＰＬＭＮによって拒否される（ステップＳ４０２）。具体的に言うと、シグナリング手順は、アタッチ手順、位置更新手順、ルーティングエリア更新手順、またはトラッキングエリア更新手順であることができる。次いで、移動通信装置によってサポートされる他の無線技術があるかどうか決められる（ステップＳ４０３）。他の無線技術がある場合、移動通信装置は、同じ無線技術を用いてシグナリング手順を再試行することなく、他の無線技術を用いて同じＰＬＭＮに対してＰＬＭＮ選択手順を実行する（ステップＳ４０４）。
【００２１】
その後、移動通信装置は、同じＰＬＭＮに対してＰＬＭＮ選択手順がＰＬＭＮで用いられる他の無線アクセス技術（ＲＡＴ）をうまく検出したかどうかを決める（ステップＳ４０５）。検出した場合、移動通信装置は、検出されたＲＡＴを用いて同じＰＬＭＮにキャンプオンする（ステップＳ４０６）。具体的に言うと、検出されたＲＡＴは、ステップＳ４０４で用いられた無線技術と同じである。逆に、同じＰＬＭＮに対してＰＬＭＮ選択手順が失敗した時、前記方法は、ステップＳ４０３に進む。
【００２２】
ステップＳ４０３に続き、移動通信装置によってサポートされた他の無線技術がない場合（即ち、サポートされた無線技術の全てが試行されている）、移動通信装置は、他のＰＬＭＮに対して他のＰＬＭＮ選択手順を実行する（ステップＳ４０７）。注意するのは、ステップＳ４０７のＰＬＭＮ選択手順は、移動通信装置が始めにキャンプオンされたＰＬＭＮでないＰＬＭＮに実行される。即ち、ステップＳ４０７のＰＬＭＮ選択手順は、シグナリング手順が拒否されたＰＬＭＮ以外の任意の好適なＰＬＭＮを見つけるように実行される。次いで、移動通信装置は、ＰＬＭＮ選択手順が他の好適なＰＬＭＮをうまく見つけたかどうかを決める（ステップＳ４０８）。探せた場合、移動通信装置は、見つかったＰＬＭＮにキャンプオンする（ステップＳ４０９）。逆に、ＰＬＭＮ選択手順が失敗した場合、移動通信装置は、移動通信装置に接続されたＳＩＭ／ＵＳＩＭを無効として設定し、“サービスなし”状態に入る（ステップＳ４１０）。
【００２３】
注意するのは、従来のＵＥの動作と異なり、図４の実施形態の移動通信装置は、同じ無線技術を用いてシグナリング手順を再試行することなく、代わりにネットワーク障害を示す拒否要因によるシグナリング手順の失敗に応じて、同じＰＬＭＮに対してＰＬＭＮ選択手順を実行するため、他の無線技術を用いて同じＰＬＭＮにキャンプオンし、可能な限り早く無線サービスを得る。
【００２４】
この発明は、実施例の方法及び望ましい実施の形態によって記述されているが、これらを限定するものではないことは理解される。当業者は、本発明の精神と範囲から逸脱しない種々の修正及び変更を行い得る。よって、本発明の範囲は、以下の請求項及びその等価のものによって規定されて保護される。
【符号の説明】
【００２５】
１００  無線通信環境
１１０  移動通信装置
１２０、１３０  ＰＬＭＮ
１２１、１２２、１３１、１３２  サービスネットワーク
１１、２１、３１、４１  アクセスネットワーク
１２、２２、３２、４２  コアネットワーク
２１０  無線モジュール
２２０  制御モジュール
【図１】
2014036440.tif 000003
【図２】
2014036440.tif 000004
【図３】
2014036440.tif 000005
【図４】
2014036440.tif 000006